(57)【要約】【課題】複数の量水器を埋設させる際に量水器を所望の態様で容易に整列させることができる量水器ボックス及びその連結構造体を提供する。【解決手段】底部４ｃ及び側壁部４ａを備え内部に量水器を収納する量水器ボックス１において、底部４ｃ及び側壁部４ａの少なくとも何れか一方に、量水器ボックス１と他の量水器ボックスとを連結するための連結部材１０を装着させる突状部（連結部材装着部）５を設ける。【選択図】図１
2010261173.tif 000002
【特許請求の範囲】
【請求項１】
底部及び側壁部を備え内部に量水器を収納する量水器ボックスであって、
前記底部及び前記側壁部の少なくとも何れか一方に、前記量水器ボックスと他の量水器ボックスとを連結するための連結部材を装着させる連結部材装着部が設けられてなる、
量水器ボックス。
【請求項２】
前記連結部材装着部は、前記側壁部から外方に突出するように設けられた突状部である、
請求項１に記載の量水器ボックス。
【請求項３】
前記突状部は、その突出方向が、前記側壁部の延在方向に対して平面視で直角な方向であって前記量水器ボックスの埋設時において略水平な方向に設定されてなる、
請求項２に記載の量水器ボックス。
【請求項４】
前記連結部材は、棒状又は筒状の部材であり、
前記突状部は、筒状に構成されて前記連結部材の外径に対応した内径を有し、その内部に前記連結部材を挿入させるものである、
請求項２又は３に記載の量水器ボックス。
【請求項５】
前記連結部材は、筒状の部材であり、
前記突状部は、前記連結部材の内径に対応した外径を有し、前記連結部材の内部に挿入されるものである、
請求項２又は３に記載の量水器ボックス。
【請求項６】
前記突状部は、弾性材料で筒状に構成されるとともに、その軸方向に沿って形成されたスリットを有し、その外径が変更可能とされてなる、
請求項５に記載の量水器ボックス。
【請求項７】
前記連結部材は、棒状又は筒状の部材であり、
前記突状部は、筒状に構成されて前記連結部材の外径に対応した内径を有し、その内部に前記連結部材を挿通させるものであり、その軸方向が、前記側壁部の延在方向に対して平行な方向であって前記量水器ボックスの埋設時において略水平な方向に設定されてなる、
請求項２に記載の量水器ボックス。
【請求項８】
前記連結部材は、棒状又は筒状の部材であり、
前記連結部材装着部は、前記側壁部に穿設された対向する少なくとも一対の貫通孔であり、前記貫通孔は、前記連結部材の外径に対応した径を有するものである、
請求項１に記載の量水器ボックス。
【請求項９】
前記連結部材装着部の径は、前記量水器に接続される給水管の径に対応するものである、
請求項１から８の何れか一項に記載の量水器ボックス。
【請求項１０】
請求項１から９の何れか一項に記載の量水器ボックスが連結部材を介して複数連結されてなる、
量水器ボックスの連結構造体。
【発明の詳細な説明】
【技術分野】
【０００１】
本発明は、量水器（水道メーター）を地中に埋設する際に使用する量水器ボックス及びその連結構造体に関する。
【背景技術】
【０００２】
集合住宅を建築する場合、住戸数に対応した量水器及び量水器を収納する量水器ボックスを使用することが必要となる。建物内部に各種メーター類を集中設置した集合住宅の場合、道路から水道本管を引き込み、道路近傍の敷地内に量水器及び量水器ボックスを埋設することになる。かかる場合には、水道管の引き込み位置を少なくする方が道路や敷地の掘削や復旧の手間が軽減されて好ましいため、量水器及び量水器ボックスを集中的に配置するのが一般的である。
【０００３】
近年においては、複数の量水器をまとめて設置するための技術として、１つのケースに複数の量水器を上下に並べて収納し、検針の際等にこれら量水器を傾けて表示を読み取ることを可能にした水道メータ取付用ユニットに関する技術が提案されている（例えば、特許文献１参照）。
【先行技術文献】
【特許文献】
【０００４】
【特許文献１】特開２００８−１７５８０２号公報
【発明の概要】
【発明が解決しようとする課題】
【０００５】
ところで、複数の量水器を地中に埋設する際には、一つの量水器ボックスに一つの量水器を収容した上で、複数の量水器ボックスを埋設するのが一般的である。このため、複数の量水器ボックスを整列させた状態で埋設しようとしても、量水器ボックスの周囲を土で埋め戻す際等に量水器ボックスが当初設置した位置からずれてしまい、一直線状にならなかったり、上面（量水器ボックス蓋の面）に凹凸が生じたりして、調整に手間が掛かるという問題があった。
【０００６】
この点、前記特許文献１に記載されたユニットは、地中に埋設するような構造を有するものではないため、複数の量水器を整列させた状態で地中に埋設させる際に使用することはできない。また、このような従来のユニットを応用して、例えば１つのボックスに複数の量水器を収納させたとしても、量水器の形状や大きさが限定されてしまう上に、設置する量水器の数や敷地形状等に対応させてボックスの形状や大きさを変化させることができない、という問題が生じ得る。一方、設置する量水器の数や敷地形状等に対応できるように、多種多様なボックスを用意すると、多大な費用や労力を要してしまうこととなる。
【０００７】
本発明は、かかる事情に鑑みてなされたものであり、複数の量水器を埋設させる際に量水器を所望の態様で容易に整列させることができる量水器ボックス及びその連結構造体を提供することを目的とする。
【課題を解決するための手段】
【０００８】
前記目的を達成するため、本発明に係る量水器ボックスは、底部及び側壁部を備え内部に量水器を収納する量水器ボックスであって、底部及び側壁部の少なくとも何れか一方に、この量水器ボックスと他の量水器ボックスとを連結するための連結部材を装着させる連結部材装着部が設けられてなるものである。
【０００９】
かかる構成を採用すると、量水器ボックスの底部及び側壁部の少なくとも何れか一方に連結部材装着部が設けられているので、連結部材を介して、この量水器ボックスと他の量水器ボックスとを連結することができる。従って、複数の量水器を埋設させる際に、量水器を量水器ボックス内に収納した状態で所望の態様（例えば等間隔かつ一直線状）で容易に整列させることができる。この結果、量水器ボックス（及び量水器）相互の位置ずれを防止することが可能となる。
【００１０】
前記量水器ボックスにおいて、連結部材装着部として、側壁部から外方に突出するように設けられた突状部を採用することができる。
【００１１】
かかる構成を採用すると、量水器ボックスの側壁部から外方に突出するように設けられた連結部材装着部（突状部）に、例えば棒状や筒状の連結部材を装着して、容易に連結作業を実施することができる。
【００１２】
また、前記量水器ボックスにおいて、突状部の突出方向を、側壁部の延在方向に対して平面視で直角な方向であって量水器ボックスの埋設時において略水平な方向に設定することができる。
【００１３】
また、前記量水器ボックスにおいて、連結部材として棒状又は筒状の部材を採用した場合に、この連結部材の外径に対応した内径を有する筒状の突状部を採用し、この筒状の突状部の内部に連結部材を挿入させることができる。
【００１４】
また、前記量水器ボックスにおいて、筒状の連結部材の内径に対応した外径を有しこの連結部材の内部に挿入される突状部を採用することもできる。この際、弾性材料からなる筒状の突状部を採用し、この筒状の突状部の軸方向に沿ってスリットを形成して突状部の外径を変更することができるようにしてもよい。
【００１５】
かかる構成を採用すると、突状部を連結部材の内部に挿入する際に、一時的に突状部の外径を小さくすることができるので、連結部材への挿入・装着を容易にすることができる。また、連結部材の内部に挿入した後に突状部の外径を弾性力により復元（拡大）させることができ、突状部の外壁を連結部材の内壁に係止させることができる。
【００１６】
また、前記量水器ボックスにおいて、連結部材として棒状又は筒状の部材を採用した場合に、この連結部材の外径に対応した内径を有する筒状の突状部を採用し、この筒状の突状部の軸方向を、側壁部の延在方向に対して平行な方向であって量水器ボックスの埋設時において略水平な方向に設定することができる。
【００１７】
かかる構成を採用すると、側壁部の延在方向に対して平行な軸を有する筒状の突状部に、長尺の棒状又は筒状の連結部材を挿通させて、複数の量水器ボックスを一直線状に整列させることができる。また、連結部材に沿って量水器ボックスをスライドさせることにより、隣接する量水器ボックスの離隔寸法（間隔）を容易に調整することができる。
【００１８】
また、前記量水器ボックスにおいて、連結部材として棒状又は筒状の部材を採用した場合に、連結部材装着部として、側壁部に穿設された対向する少なくとも一対の貫通孔を採用することができる。この際、連結部材の外径に対応した径を有する貫通孔を採用するようにする。
【００１９】
かかる構成を採用すると、量水器ボックスの側壁部に穿設された貫通孔（連結部材装着部）に棒状や筒状の連結部材を装着して、容易に連結作業を実施することができる。この際、貫通孔に、長尺の棒状又は筒状の連結部材を挿通させて、複数の量水器ボックスを一直線状に整列させることができる。また、連結部材に沿って量水器ボックスをスライドさせることにより、隣接する量水器ボックスの離隔寸法（間隔）を容易に調整することができる。
【００２０】
また、前記量水器ボックスにおいて、連結部材装着部の径を、量水器に接続される給水管の径に対応させることが好ましい。
【００２１】
かかる構成を採用すると、連結部材装着部の径（突状部の外径や内径、貫通孔の径）が、現場に持ち込まれて量水器に接続される給水管の径に対応しているため、給水管の廃材を連結部材として採用することができる。従って、専用の連結部材を採用する必要がなく、給水管の有効利用を図ることができ、資材を節減することができる。
【００２２】
また、本発明に係る連結構造体は、前記量水器ボックスが連結部材を介して複数連結されてなるものである。
【００２３】
かかる構成を採用すると、複数の量水器を埋設させる際に、量水器を量水器ボックス内に収納した状態で所望の態様で容易に整列させることができる。この結果、量水器ボックス（及び量水器）相互の位置ずれを防止することが可能となる。
【発明の効果】
【００２４】
本発明によれば、複数の量水器を埋設させる際に量水器を所望の態様で容易に整列させることができる量水器ボックス及びその連結構造体を提供することが可能となる。
【図面の簡単な説明】
【００２５】
【図１】本発明の第１実施形態に係る量水器ボックスの外観（一部内部構造を含む）を示すものであり、（Ａ）は平面図、（Ｂ）は正面図、（Ｃ）は左側面図である。
【図２】図１に示した量水器ボックスの突状部（連結部材装着部）の変形例を示すものであり、（Ａ）はスリット入り雄型突状部の拡大図、（Ｂ）は雌型突状部の拡大図である。
【図３】図１に示した量水器ボックスの長辺同士を隣接させて連結した連結構造体を示す平面図である。
【図４】図１に示した量水器ボックスの短辺同士を隣接させて連結した連結構造体を示す平面図である。
【図５】本発明の第２実施形態に係る量水器ボックスの外観（一部内部構造を含む）を示すものであり、（Ａ）は平面図、（Ｂ）は正面図、（Ｃ）は左側面図である。
【図６】図５に示した量水器ボックスの突状部（連結部材装着部）及び連結部材の拡大斜視図である。
【図７】図５に示した量水器ボックスの長辺を隣接させて連結した連結構造体を示す平面図である。
【図８】図５に示した量水器ボックスの短辺を隣接させて連結した連結構造体を示す平面図である。
【図９】本発明の第３実施形態に係る量水器ボックスの外観（一部内部構造を含む）を示すものであり、（Ａ）は平面図、（Ｂ）は正面図、（Ｃ）は左側面図である。
【図１０】図９に示した量水器ボックスの長辺を隣接させて連結した連結構造体を示す平面図である。
【図１１】図９に示した量水器ボックスの短辺を隣接させて連結した連結構造体を示す平面図である。
【発明を実施するための形態】
【００２６】
以下、図面を参照して、本発明の実施形態に係る量水器ボックス及びその連結構造体について説明する。本実施形態に係る量水器ボックスは、その内部に量水器を収納した状態で地中に埋設されるものである。
【００２７】
＜第１実施形態＞
まず、図１〜図４を用いて、本発明の第１実施形態に係る量水器ボックス１及びその連結構造体Ａ、Ｂについて説明する。
【００２８】
最初に、図１及び図２を用いて、本実施形態に係る量水器ボックス１の構成について説明する。量水器ボックス１は、図１に示すように、上面と下面に開口を有するボックス本体２と、ボックス本体２の上面の開口に設けられヒンジ３ａによって開閉可能な蓋部材３と、ボックス本体２の下面の開口に対応した形状の底部材４と、を備えており、全体として略直方体形状を呈している。量水器ボックス１の内部には、図示されていない量水器が収納される。
【００２９】
ボックス本体２は、全体として略四角柱状を呈しており、４つの側壁部（平面視で長辺を構成する一対の側壁部２ａ及び平面視で短辺を構成する一対の側壁部２ｂ）を有している。ボックス本体２の短辺の側壁部２ｂの中央下部には、図示されていない給水管を挿通させるための給水管挿通孔２ｃが設けられている。底部材４は、全体として浅い皿形状を呈しており、４つの側壁部（平面視で長辺を構成する一対の側壁部４ａ及び平面視で短辺を構成する一対の側壁部４ｂ）と、底部４ｃと、を有している。ボックス本体２の長辺の側壁部２ａと底部材４の長辺の側壁部４ａとが連接される一方、ボックス本体２の短辺の側壁部２ｂと底部材４の短辺の側壁部４ｂとが連接されることにより、量水器ボックス１の４つの側壁部が構成される。
【００３０】
底部材４の各側壁部（長辺の側壁部４ａ及び短辺の側壁部４ｂ）には、各側壁部から外方に突出するように円柱状の突状部５が２個ずつ設けられている。突状部５は、量水器ボックス１と他の量水器ボックスとを連結させる連結部材１０を装着可能な連結部材装着部として機能するものである。本実施形態においては、図１（Ａ）に示すように、突状部５の突出方向を各側壁部の延在方向に対して平面視で直角な方向に設定している。また、本実施形態においては、量水器ボックス１を水平に（底部材４の底部４ｃが水平になるように）埋設することとしており、この埋設時に突状部５が略水平に延在するように、突状部５の突出方向を設定している。
【００３１】
本実施形態においては、量水器ボックス同士を連結する連結部材１０として、図１に示すような円筒状の部材を採用している。そして、突状部５の外径を、円筒状の連結部材１０の内径に対応（一致）させることにより、連結部材１０の内部に突状部５を挿入し、突状部５の外面を連結部材１０の内面に接触させて、突状部５を連結部材１０に装着することができるようになっている。突状部５と連結部材１０とを接合する際には、接着剤を併用してもよく、ゴム等の弾力性を有するパッキン材を介装してもよい。
【００３２】
突状部５の外径（連結部材１０の内径）は、量水器ボックス１に収納する量水器の径（水道本管から分岐されて宅地内に引き込まれる給水管の径）と一致しているのが好ましい。例えば、量水器ボックス１が２０ｍｍ径の量水器（及び給水管）を収納するものであれば、突状部５の外径（連結部材１０の内径）を２０ｍｍ径に設定するようにする。このようにすると、給水管の廃材を連結部材として採用することができるので、専用の連結部材を採用する必要がなく、給水管の有効利用を図ることができ、資材を節減することができる。
【００３３】
なお、本実施形態においては、円柱状の突状部５を採用したが、連結部材１０の内部に挿入して装着することができるものであれば、突状部５の形状は特に限定されるものではない。例えば、連結部材１０の内面に外接する多角柱状の突状部や、連結部材１０の内面に係止する突出片が外面に設けられた突状部を採用することもできる。また、本実施形態においては、量水器ボックスを構成する底部材４の側壁部４ａ、４ｂに突状部５を設けたが、底部材４の底部４ｃに突状部５を設けたり、側壁部４ａ、４ｂ及び底部４ｃの双方に突状部５を設けたりすることもできる。また、底部材４の側壁部４ａ、４ｂに突状部５を設ける代わりに、ボックス本体２の側壁部２ａ、２ｂに突状部５を設けてもよい。
【００３４】
また、図２（Ａ）に示すように、弾性材料からなる円筒状の突状部５Ａを採用し、この突状部５Ａの軸方向に沿って複数のスリット５ａを形成して突状部５Ａの外径を変更することができるようにしてもよい。かかる構成を採用する場合には、突状部５Ａの先端部５ｂを先細形状にすることにより突状部５Ａを連結部材１０に挿入し易くする一方、先細の先端部５ｂの根元部分６の外径が連結部材１０の内径よりも若干大きくなるように設定することができる。このようにすると、突状部５Ａを連結部材１０に挿入した後に、弾性力により復元（拡大）した根元部分６が連結部材１０の内壁に係止して抜脱し難くなるため、好ましい。
【００３５】
また、図２（Ｂ）に示すように、円柱状（棒状）の連結部材１０Ａを採用した場合には、連結部材１０Ａの外径に対応した内径を有する円筒状の突状部５Ｂを採用することができる。かかる場合には、円筒状の突状部５Ｂの内部に連結部材１０Ａを挿入し、連結部材１０Ａの外面を突状部５Ｂの内面に接触させて、突状部５Ｂを連結部材１０Ａに装着することができる。また、円筒状の突状部５Ｂに代えて、連結部材１０Ａの外面に内接する断面多角形状の内壁を有する突状部や、連結部材１０Ａの外面に係止する突出片が内面に設けられた突状部を採用することもできる。
【００３６】
以上説明した量水器ボックス１は、以下のような手順で、蓋部材３の上面が地盤面や外部床仕上げ面と面一となるように埋設される。
（１）量水器ボックス１の埋設部付近の地盤面の掘削。
（２）砕石等による底部材４の据え付け面の地業。
（３）底部材４の据付。
（４）給水管の配管及び量水器と給水管との接続。
（５）ボックス本体２（及び蓋部材３）の取り付け。
（６）量水器ボックス１の周囲の埋め戻し（適宜外部床仕上げ）。
【００３７】
次いで、図３及び図４を用いて、本実施形態に係る量水器ボックス１を複数連結して構成した連結構造体Ａ、Ｂについて説明する。
【００３８】
図３は、３個の量水器ボックス１の長辺同士を隣接させて連結した連結構造体Ａを示している。連結部材１０は、隣接する量水器ボックス１の長辺の側壁部４ａに設けられた突状部５同士が対向する部位１箇所につき１本使用される。連結部材１０の長さを調節することによって、隣接する量水器ボックス１の離隔寸法（間隔）を調整することができる。同様に、量水器ボックス１の短辺の側壁部４ｂに設けられた突状部５を利用して、図４に示すように量水器ボックス１の短辺同士を隣接させて連結した連結構造体Ｂを構成することができる。
【００３９】
以上説明した実施形態に係る量水器ボックス１においては、側壁部に連結部材装着部としての突状部（５、５Ａ、５Ｂ）が設けられているので、連結部材１０を介して、この量水器ボックス１と他の量水器ボックスとを連結させることができる。従って、複数の量水器を埋設させる際に、量水器を量水器ボックス１内に収納した状態で所望の態様（例えば等間隔かつ一直線状）で容易に整列させることができる。この結果、量水器ボックス１（及び量水器）相互の位置ずれを防止することが可能となる。
【００４０】
また、以上説明した実施形態に係る量水器ボックス１においては、連結部材装着部として、側壁部から外方に突出するように設けられた突状部（５、５Ａ、５Ｂ）を採用しているため、この突状部に、円筒状の連結部材１０や円柱状の連結部材１０Ａを装着して、容易に連結作業を実施することができる。特に、弾性材料からなる円筒状の突状部５Ａを採用し、この突状部Ａの軸方向に沿って複数のスリット５ａを形成した場合には、突状部５Ａを連結部材１０の内部に挿入する際に、一時的に突状部５Ａの外径を小さくすることができるので、連結部材１０への挿入・装着を容易にすることができる。また、連結部材１０の内部に挿入した後に突状部５Ａの外径を弾性力により復元（拡大）させることができ、突状部５Ａの外壁を連結部材１０の内壁に係止させることができる。
【００４１】
また、以上説明した実施形態に係る量水器ボックス１において、円柱状の突状部５の外径や円筒状の突状部５Ｂの内径を、量水器ボックス１に収納する量水器の径（水道本管から分岐されて宅地内に引き込まれる給水管の径）と一致させた場合には、給水管の廃材を連結部材として採用することができるので、専用の連結部材を採用する必要がなく、給水管の有効利用を図ることができ、資材を節減することができる。
【００４２】
＜第２実施形態＞
次に、図５〜図８を用いて、本発明の第２実施形態に係る量水器ボックス１Ａ及びその連結構造体Ｃ、Ｄについて説明する。本実施形態に係る量水器ボックス１Ａは、第１実施形態に係る量水器ボックス１の突状部の構成を変更したものであり、その他の構成については実質的に第１実施形態と共通である。このため、異なる構成を中心に説明することとし、共通する構成については第１実施形態と同様の符号を付して詳細な説明を省略することとする。
【００４３】
最初に、図５及び図６を用いて、本実施形態に係る量水器ボックス１Ａの構成について説明する。量水器ボックス１Ａは、図５に示すように、ボックス本体２、蓋部材３及び底部材４を備えており、全体として略直方体形状を呈している。これらボックス本体２、蓋部材３及び底部材４は、第１実施形態と実質的に共通であるため、詳細な説明を省略する。
【００４４】
底部材４の一方の長辺の側壁部４ａ及び一方の短辺の側壁部４ｂには、各側壁部４ａ、４ｂから外方に突出するように比較的短い円筒状の突状部６が２個ずつ設けられている。突状部６は、量水器ボックス１Ａと他の量水器ボックスとを連結させる図５及び図６に示すような円柱状（棒状）の連結部材１０Ａや図１に示されるような円筒状の連結部材１０を装着可能な連結部材装着部として機能するものである。短辺の側壁部４ｂに設けられた２個の突状部６は、量水器に接続される給水管と干渉しない位置（給水管よりも鉛直方向下方の位置）に配置されている。
【００４５】
本実施形態においては、図５（Ａ）に示すように、長辺の側壁部４ａに設けられた２個の突状部６の軸方向を、長辺の側壁部４ａの延在方向に対して平行な方向に設定しており、これら２個の突状部６が一直線上に並ぶように配置している。また、同様に、短辺の側壁部４ｂに設けられた２個の突状部６の軸方向を、短辺の側壁部４ｂの延在方向に対して平行な方向に設定しており、これら２個の突状部６が一直線上に並ぶように配置している。そして、本実施形態においては、突状部６の内径を、円柱状の連結部材１０Ａの外径に対応（一致）させることにより、図６に示すように連結部材１０Ａを突状部６に挿通させることができるようになっている。また、本実施形態においても、量水器ボックス１Ａを水平に埋設することとしており、この埋設時に突状部６が側壁部４ａ、４ｂから略水平に延在するように、突状部６の突出方向を設定している。
【００４６】
なお、本実施形態においては、底部材４の一方の長辺の側壁部４ａ及び一方の短辺の側壁部４ｂに突状部６を設けているが、全ての側壁部に突状部６を設けることもできる。また、本実施形態においては、比較的短い円筒状の突状部６を各側壁部に複数個ずつ設けているが、比較的長い円筒状の突状部を各側壁部に１個ずつ設けることもできる。突状部６の形状は、円柱状の連結部材１０Ａを装着（安定して保持）することができるものであれば特に限定されるものではない。例えば、連結部材１０Ａの外面に内接する断面多角形状の内壁を有する突状部、連結部材１０Ａの外面に係止する突出片が内面に設けられた突状部、連結部材１０Ａを上下から挟むように構成された断面Ｃ字状又は断面コ字状の突状部等を採用することもできる。
【００４７】
また、本実施形態においては、底部材４の側壁部４ａ、４ｂに突状部６を設けたが、底部材４の底部４ｃに突状部６を設けたり、側壁部４ａ、４ｃ及び底部４ｃの双方に突状部６を設けたりすることもできる。この際、底部４ｃに凹部を設けておき、この凹部に突状部６が収納されるような構成を採用すると、埋設の際の地業が行い易くなるため好ましい。また、底部材４の側壁部４ａ、４ｂに突状部６を設ける代わりに、ボックス本体２の側壁部２ａ、２ｂに突状部６を設けてもよい。
【００４８】
次いで、図７及び図８を用いて、本実施形態に係る量水器ボックス１Ａを複数連結して構成した連結構造体Ｃ、Ｄについて説明する。
【００４９】
図７は、３個の量水器ボックス１Ａの長辺同士を隣接させて連結した連結構造体Ｃを示している。連結部材１０Ａとしては、１本の長尺の円柱状部材を採用しており、この連結部材１０Ａを、各量水器ボックス１Ａの短辺の側壁部４ｂに設けられた突状部６に挿通させることにより、３個の量水器ボックス１Ａが連結されている。同様に、量水器ボックス１Ａの長辺の側壁部４ａに設けられた突状部６に連結部材１０Ａを挿通させることにより、図８に示すように量水器ボックス１Ａの短辺同士を隣接させて連結した連結構造体Ｄを構成することができる。これら連結構造体Ｃ、Ｄにおいては、量水器ボックス１Ａをスライドさせることにより、隣接する量水器ボックス１Ａの離隔寸法（間隔）を調整することができる。なお、１本の長尺円柱状の連結部材１０Ａに代えて、比較的短い円柱状の連結部材を複数本採用してもよい。
【００５０】
以上説明した実施形態に係る量水器ボックス１Ａにおいては、側壁部に連結部材装着部としての突状部６が設けられているので、連結部材１０Ａを介して、この量水器ボックス１Ａと他の量水器ボックスとを連結させることができる。従って、複数の量水器を埋設させる際に、量水器を量水器ボックス１Ａ内に収納した状態で所望の態様（例えば等間隔かつ一直線状）で容易に整列させることができる。この結果、量水器ボックス１Ａ（及び量水器）相互の位置ずれを防止することが可能となる。
【００５１】
また、以上説明した実施形態に係る量水器ボックス１Ａにおいては、連結部材装着部として、側壁部から外方に突出するように設けられた突状部６を採用しているため、この突状部に、円柱状の連結部材１０Ａを装着して、容易に連結作業を実施することができる。特に、側壁部の延在方向に対して平行な軸を有する筒状の突状部６を採用しているため、この突状部６に、長尺の連結部材１０Ａを挿通させて、複数の量水器ボックス１Ａを一直線状に整列させることができる。また、連結部材１０Ａに沿って量水器ボックス１Ａをスライドさせることにより、隣接する量水器ボックス１Ａの離隔寸法（間隔）を容易に調整することができる。
【００５２】
＜第３実施形態＞
次に、図９〜図１１を用いて、本発明の第３実施形態に係る量水器ボックス１Ｂ及びその連結構造体Ｅ、Ｆについて説明する。本実施形態に係る量水器ボックス１Ｂは、第１実施形態に係る量水器ボックス１の突状部を貫通孔に変更したものであり、その他の構成については実質的に第１実施形態と共通である。このため、異なる構成を中心に説明することとし、共通する構成については第１実施形態と同様の符号を付して詳細な説明を省略することとする。
【００５３】
最初に、図９を用いて、本実施形態に係る量水器ボックス１Ｂの構成について説明する。量水器ボックス１Ｂは、ボックス本体２、蓋部材３及び底部材４を備えており、全体として略直方体形状を呈している。これらボックス本体２、蓋部材３及び底部材４は、第１実施形態と実質的に共通であるため、詳細な説明を省略する。
【００５４】
底部材４の各側壁部（一対の長辺の側壁部４ａ及び一対の短辺の側壁部４ｂ）には、貫通孔７が２個ずつ穿設されている。一方の長辺の側壁部４ａに穿設された２個の貫通孔７は、対向する他方の長辺の側壁部４ａに穿設された２個の貫通孔７と各々対向するように配置されている。同様に、一方の短辺の側壁部４ｂに穿設された２個の貫通孔７は、対向する他方の短辺の側壁部４ｂに穿設された２個の貫通孔７と各々対向するように配置されている。貫通孔７は、量水器ボックス１Ｂと他の量水器ボックスとを連結させる図９に示すような円柱状（棒状）の連結部材１０Ａや図１に示すような円筒状の連結部材１０を装着可能な連結部材装着部として機能するものである。
【００５５】
本実施形態においては、貫通孔７の径を、円柱状の連結部材１０Ａの外径に対応（一致）させることにより、連結部材１０Ａを貫通孔７に挿通させることができるようになっている。貫通孔７は、いずれも、量水器ボックス１Ｂに収納される量水器及びこの量水器に接続される給水管と干渉しない位置に配置されている。貫通孔７の形状は、円柱状の連結部材１０Ａを装着（安定して保持）することができるものであれば特に限定されるものではない。例えば、連結部材１０Ａの外面に内接する多角形状の貫通孔や連結部材１０Ａの外面に係止する突出片が内面に設けられた貫通孔を採用することもできる。また、底部材４の側壁部４ａ、４ｂに貫通孔７を設ける代わりに、ボックス本体２の側壁部２ａ、２ｂに貫通孔７を設けてもよい。
【００５６】
なお、本実施形態に係る量水器ボックス１Ｂは地中に埋設されるものであるため、例えば、貫通孔７に土砂等が流入するのを防止するための構成を採用することが好ましい。例えば、着脱可能なキャップを貫通孔７に装着しておき使用する貫通孔７のみこのキャップを取り外したり、薄く破れ易い連結部を介して貫通孔７に蓋を接続しておき使用する貫通孔７の連結部を破って蓋を取り外したりすることができる。
【００５７】
次いで、図１０及び図１１を用いて、本実施形態に係る量水器ボックス１Ｂを複数連結して構成した連結構造体Ｅ、Ｆについて説明する。
【００５８】
図１０は、３個の量水器ボックス１Ｂの長辺同士を隣接させて連結した連結構造体Ｅを示している。連結部材１０Ａとしては、１本の長尺の円柱状部材を採用しており、この連結部材１０Ａを、各量水器ボックス１Ｂの長辺の側壁部４ａに穿設された貫通孔７に挿通させることにより、３個の量水器ボックス１Ｂが連結されている。同様に、量水器ボックス１Ｂの短辺の側壁部４ｂに穿設された貫通孔７に連結部材１０Ａを挿通させることにより、図１１に示すように量水器ボックス１Ｂの短辺同士を隣接させて連結した連結構造体Ｆを構成することができる。これら連結構造体Ｅ、Ｆにおいては、量水器ボックス１Ｂをスライドさせることにより、隣接する量水器ボックス１Ｂの間隔を調整することができる。
【００５９】
以上説明した実施形態に係る量水器ボックス１Ｂにおいては、側壁部に連結部材装着部としての貫通孔７が設けられているので、連結部材１０Ａを介して、この量水器ボックス１Ｂと他の量水器ボックスとを連結させることができる。従って、複数の量水器を埋設させる際に、量水器を量水器ボックス１Ｂ内に収納した状態で所望の態様（例えば等間隔かつ一直線状）で容易に整列させることができる。この結果、量水器ボックス１Ｂ（及び量水器）相互の位置ずれを防止することが可能となる。
【００６０】
また、以上説明した実施形態に係る量水器ボックス１Ｂにおいては、連結部材装着部として、側壁部に穿設された貫通孔７を採用しており、この貫通孔７に円柱状の連結部材１０Ａを装着して、容易に連結作業を実施することができる。この際、貫通孔７に長尺の連結部材１０Ａを挿通させて、複数の量水器ボックス１Ｂを一直線状に整列させることができる。また、連結部材１０Ａに沿って量水器ボックス１Ｂをスライドさせることにより、隣接する量水器ボックス１Ｂの離隔寸法（間隔）を容易に調整することができる。
【符号の説明】
【００６１】
１・１Ａ・１Ｂ…量水器ボックス
２…ボックス本体
２ａ・２ｂ…側壁部
４…底部材
４ａ・４ｂ…側壁部
４ｃ…底部
５・５Ａ・５Ｂ…突状部（連結部材装着部）
５ａ…スリット
６…突状部（連結部材装着部）
７…貫通孔（連結部材装着部）
１０・１０Ａ…連結部材
Ａ・Ｂ・Ｃ・Ｄ・Ｅ・Ｆ…連結構造体
【図１】
2010261173.tif 000003
【図２】
2010261173.tif 000004
【図３】
2010261173.tif 000005
【図４】
2010261173.tif 000006
【図５】
2010261173.tif 000007
【図６】
2010261173.tif 000008
【図７】
2010261173.tif 000009
【図８】
2010261173.tif 000010
【図９】
2010261173.tif 000011
【図１０】
2010261173.tif 000012
【図１１】
2010261173.tif 000013